(57)【要約】本発明は、光源を保持する部材の変形、抜き差し不能等の不具合を効果的に防止しつつ、光源の交換を容易に行うことができる液晶表示装置、光源保持体、光源挿設用部材、及び、バックライトを提供する。本発明は、光源保持体及びそれが挿設される光源挿設用部材を有するバックライトを備える液晶表示装置であって、上記光源保持体及び／又は光源挿設用部材は、突起部を有し、上記突起部で互いに接する構造を有する液晶表示装置である。
2007094095.tif 000002
【特許請求の範囲】
【請求項１】
光源保持体及びそれが挿設される光源挿設用部材を有するバックライトを備える液晶表示装置であって、
該光源保持体及び／又は光源挿設用部材は、突起部を有し、該突起部で互いに接する構造を有することを特徴とする液晶表示装置。
【請求項２】
前記突起部は、光源保持体及び光源挿設用部材の間の摩擦を小さくするためのものであることを特徴とする請求項１記載の液晶表示装置。
【請求項３】
前記バックライトは、更に液晶表示パネルの後方に導光板を有し、光源が導光板の側方に配置され、
前記光源保持体は、導光板及び光源の間以外の光源の周辺領域に配置されることを特徴とする請求項１又は２に記載の液晶表示装置。
【請求項４】
前記光源保持体及び／又は光源挿設用部材は、前面側又は背面側に突起部を有することを特徴とする請求項３記載の液晶表示装置。
【請求項５】
前記光源保持体及び／又は光源挿設用部材は、前面側に突起部を有することを特徴とする請求項３記載の液晶表示装置。
【請求項６】
前記バックライトは、光源が液晶表示パネルの後方に配置され、
前記光源保持体は、液晶表示パネル及び光源の間以外の光源の周辺領域に配置されることを特徴とする請求項１又は２に記載の液晶表示装置。
【請求項７】
光源保持体及びそれが挿設される光源挿設用部材を有するバックライトを備える液晶表示装置であって、
該光源保持体及び／又は光源挿設用部材は、曲面部を有し、該曲面部で互いに接する構造を有することを特徴とする液晶表示装置。
【請求項８】
光源挿設用部材に挿設される光源保持体であって、
該光源保持体は、摩擦を小さくするための突起部を有することを特徴とする光源保持体。
【請求項９】
光源挿設用部材に挿設される光源保持体であって、
該光源保持体は、摩擦を小さくするための曲面部を有することを特徴とする光源保持体。
【請求項１０】
光源保持体が挿設される光源挿設用部材であって、
該光源挿設用部材は、摩擦を小さくするための突起部を有することを特徴とする光源挿設用部材。
【請求項１１】
光源保持体が挿設される光源挿設用部材であって、
該光源挿設用部材は、摩擦を小さくするための曲面部を有することを特徴とする光源挿設用部材。
【請求項１２】
光源保持体及びそれが挿設される光源挿設用部材を有するバックライトであって、
該光源保持体及び／又は光源挿設用部材は、突起部を有し、該突起部で互いに接する構造を有することを特徴とするバックライト。
【請求項１３】
光源保持体及びそれが挿設される光源挿設用部材を有するバックライトであって、
該光源保持体及び／又は光源挿設用部材は、曲面部を有し、該曲面部で互いに接する構造を有することを特徴とするバックライト。
【請求項１４】
光源保持体及び滑走部材と、それらが一体的に挿設される光源挿設用部材とを有するバックライトを備える液晶表示装置であって、
該滑走部材及び／又は光源挿設用部材は、突起部を有し、該突起部で互いに接する構造を有することを特徴とする液晶表示装置。
【請求項１５】
前記突起部は、滑走部材及び光源挿設用部材の間の摩擦を小さくするためのものであることを特徴とする請求項１４記載の液晶表示装置。
【請求項１６】
前記バックライトは、光源が液晶表示パネルの後方に配置され、
前記光源保持体は、液晶表示パネル及び光源の間以外の光源の周辺領域に配置され、
前記滑走部材は、光源保持体の両端部に配置され、かつ背面側に突起部を有することを特徴とする請求項１４又は１５に記載の液晶表示装置。
【請求項１７】
前記バックライトは、複数の光源保持体が並設され、
該光源保持体の少なくとも１つは、複数の光源を保持することを特徴とする請求項１６記載の液晶表示装置。
【請求項１８】
光源保持体及び滑走部材と、それらが一体的に挿設される光源挿設用部材とを有するバックライトを備える液晶表示装置であって、
該滑走部材及び／又は光源挿設用部材は、曲面部を有し、該曲面部で互いに接する構造を有することを特徴とする液晶表示装置。
【請求項１９】
光源保持体及び滑走部材と、それらが一体的に挿設される光源挿設用部材とを有するバックライトであって、
該滑走部材及び／又は光源挿設用部材は、突起部を有し、該突起部で互いに接する構造を有することを特徴とするバックライト。
【請求項２０】
光源保持体及び滑走部材と、それらが一体的に挿設される光源挿設用部材とを有するバックライトであって、
該滑走部材及び／又は光源挿設用部材は、曲面部を有し、該曲面部で互いに接する構造を有することを特徴とするバックライト。
【発明の詳細な説明】
【技術分野】
【０００１】
本発明は、液晶表示装置、光源保持体、光源挿設用部材及びバックライトに関する。より詳しくは、テレビ、パーソナルコンピュータ用モニタ等に好適な液晶表示装置、光源保持体、光源挿設用部材及びバックライトに関するものである。
【背景技術】
【０００２】
液晶表示装置は、低消費電力の表示装置であり軽量化及び薄型化が可能なことから、テレビ、パーソナルコンピュータ用モニタ等に広く利用されている。このような液晶表示装置は、自分自身が発光する自発光型の表示装置ではないので、通常、光のシャッター機能を有する液晶表示パネルの他に、光の供給源としてバックライトを備える。【０００３】
バックライトとしては、直下型バックライト及びエッジライト型バックライトが一般的に用いられている。どちらのバックライトも、ともに液晶表示パネルに面状の光を供給するものであるが、直下型バックライトは、発光面の直下に光源を有するため、高輝度、高い光利用効率、大型化が可能であるといった利点を有する。一方、エッジライト型バックライトは、発光面に配置された導光板と導光板の側方に配置された光源とを有するため、低消費電力、薄型化が可能であるといった利点を有する。【０００４】
ところで、液晶表示装置の寿命は、これらバックライトに備えられた光源の寿命によるところが大きい。すなわち、光源さえ良好に発光していれば、液晶表示装置は、通常、寿命が尽きることはない。したがって、頻繁に表示利用される液晶表示装置、なかでも通常連続的に表示が行われる産業装置用の液晶表示装置等においては、光源の寿命が特に早く尽きるため、光源の交換が可能である液晶表示装置に対する要望が非常に大きかった。【０００５】
そこで、エッジライト型バックライトを備えた液晶表示装置において、光源が反射体に一体的に保持され、かつ反射体を保持筐体に形成されたスライド機構により脱着自在にする技術が開示されている（例えば、特許文献１参照。）。しかしながら、このような液晶表示装置において、反射体を保持筐体に挿入する時に反射体が変形する、反射体の抜き差しが行えない等の不具合が発生することがあった。また、直下型バックライトを備えた液晶表示装置において、光源を交換する方法については開示されていない。したがって、液晶表示装置において、不具合を発生することなく光源の交換を容易に行うという点で工夫の余地があった。【０００６】
一方、直下型バックライトを備えた液晶表示装置において、ランプ（光源）交換が可能で、明るく、輝度均一性が高く、かつ寿命の長いバックライトが開示されている（例えば、特許文献２参照。）。この技術によれば、ランプは一本づつ複数の反射器に配置されることから、ランプ交換時には一本づつランプを交換することとなる。しかしながら、光源交換後に輝度ムラを抑制する観点からは、光源は、全てを一時に交換することが好ましい。したがって、直下型バックライトを備えた液晶表示装置において、効率的にランプ交換の作業を行うと点で更に改善の余地があった。
【特許文献１】特開平６−５１２９３号公報
【特許文献２】特開平１１−２８１３号公報
【発明の開示】
【発明が解決しようとする課題】
【０００７】
本発明は、上記現状に鑑みてなされたものであり、光源を保持する部材の変形、抜き差し不能等の不具合を効果的に防止しつつ、光源の交換を容易に行うことができる液晶表示装置、光源保持体、光源挿設用部材及びバックライトを提供することを目的とするものである。
【課題を解決するための手段】
【０００８】
本発明者らは、光源を保持する部材の変形、抜き差し不能等の不具合を効果的に防止しつつ、光源の交換を容易に行うことができる液晶表示装置について種々検討したところ、光源を保持する光源保持体と、光源保持体が挿設される光源挿設用部材との形態に着目した。そして、従来のバックライトにおいては、たとえ光源保持体が光源挿設用部材から脱着自在にされたとしても、バックライトが完成した状態においては、光源挿設用部材が光源保持体を押さえつける圧力は通常大きく、光源保持体及び光源挿設用部材の間の摩擦が大きくなるため、光源保持体の抜き差しが容易に行えなくなることを見出すとともに、光源保持体及び／又は光源挿設用部材が、突起部及び／又は曲面部を有し、上記突起部及び／又は曲面部で互いに接する構造を有することにより、光源保持体を光源挿設用部材に挿入する時に光源保持体が変形する、光源保持体の抜き差しが行えない等の不具合を効果的に防止しつつ、光源の交換を容易に行うことができることを見出した。更に、バックライトが光源保持体をスライドするための部材である滑走部材を有する場合にも、滑走部材及び／又は光源挿設用部材が、突起部及び／又は曲面部を有し、上記突起部及び／又は曲面部で互いに接する構造を有することにより、光源保持体が突起部及び／又は曲面部を有する場合と同様に、光源保持体及び滑走部材の変形等の不具合を効果的に防止しつつ、光源の交換を容易に行うことができることを見出し、上記課題をみごとに解決することができることに想到し、本発明に到達したものである。【０００９】
すなわち、本発明は、光源保持体及びそれが挿設される光源挿設用部材を有するバックライトを備える液晶表示装置であって、上記光源保持体及び／又は光源挿設用部材は、突起部を有し、上記突起部で互いに接する構造を有する液晶表示装置（以下、「本発明の第１の液晶表示装置」ともいう。）である。【００１０】
本発明はまた、光源保持体及びそれが挿設される光源挿設用部材を有するバックライトを備える液晶表示装置であって、上記光源保持体及び／又は光源挿設用部材は、曲面部を有し、上記曲面部で互いに接する構造を有する液晶表示装置（以下、「本発明の第２の液晶表示装置」ともいう。）でもある。【００１１】
本発明は更に、光源保持体及び滑走部材と、それらが一体的に挿設される光源挿設用部材とを有するバックライトを備える液晶表示装置であって、上記滑走部材及び／又は光源挿設用部材は、突起部を有し、上記突起部で互いに接する構造を有する液晶表示装置（以下、「本発明の第３の液晶表示装置」ともいう。）でもある。【００１２】
本発明はそして、光源保持体及び滑走部材と、それらが一体的に挿設される光源挿設用部材とを有するバックライトを備える液晶表示装置であって、上記滑走部材及び／又は光源挿設用部材は、曲面部を有し、上記曲面部で互いに接する構造を有する液晶表示装置（以下、「本発明の第４の液晶表示装置」ともいう。）でもある。
以下に本発明の第１の液晶表示装置を詳述する。【００１３】
本発明の第１の液晶表示装置は、光源保持体及びそれが挿設される光源挿設用部材を有するバックライトを備える。なお、バックライトとは、液晶表示装置内に設けられる液晶表示パネルを照射する装置のことを意味し、光源、光源保持体、光源挿設用部材等の構成要素から構成されるものである。本発明の第１の液晶表示装置の構成としては、このような構成要素を必須として形成されるものである限り、その他の構成要素を含んでいても含んでいなくてもよく、特に限定されるものではないが、通常、光源及び液晶表示パネルを備える。なお、本発明の第１の液晶表示装置において、液晶表示パネルは、一般的な構成を有していればよく、液晶モード、液晶駆動方式等の表示形式は特に限定されない。なお、液晶モードとしては、ＴＮ（Ｔｗｉｓｔ  Ｎｅｍａｔｉｃ）モード、ＳＴＮ（Ｓｕｐｅｒ  Ｔｗｉｓｔ  Ｎｅｍａｔｉｃ）モード、ＩＰＳ（Ｉｎ  Ｐｌａｎｅ  Ｓｗｉｔｃｈｉｎｇ）モード等が挙げられる。また、液晶駆動方式としては、単純マトリクス駆動方式、アクティブマトリクス駆動方式等が挙げられる。【００１４】
上記光源としては特に限定されないが、線状光源である冷陰極型蛍光ランプ（以下、「ＣＣＦＴ」ともいう。）、点状光源である発光ダイオード（以下、「ＬＥＤ」ともいう。）等が好ましい。ＣＣＦＴを用いた場合には、高輝度化及びバックライトの省スペース化が可能になる。一方、ＬＥＤを用いた場合には、低消費電力化と、長寿命化と、多色化による色再現範囲の拡大とが可能になる。【００１５】
上記光源保持体は、光源を保持する機能を有するものである。光源保持体が光源を保持する形態としては特に限定されないが、線状光源を用いた場合には、光の利用効率を向上する観点から、線状光源の端部を保持することが好ましい。光源保持体の材質としては特に限定されないが、光源で発生した熱を効率的に外部に放出するために、熱伝導性に優れた材料を含んで構成されることが好ましく、また、加工性に優れていることが好ましく、例えば、金属が好適に用いられ、なかでも安価かつ軽量であるアルミニウムを含んで構成されることがより好ましい。また、光源保持体は、光の利用効率を向上する観点から、光源の光を反射する反射体でもあることが好ましい。【００１６】
上記光源挿設用部材は、光源保持体が挿設され、光源保持体を保持する機能を有するものである。光源挿設用部材は、液晶表示パネル、導光板等の液晶表示装置が一般的に有する光源保持体以外の構成要素をも一体的に保持することが好ましい。すなわち、光源挿設用部材は、ベゼルとしても機能することが好ましい。なお、光源挿設用部材は、通常、複数の部材から構成され、この場合、全体として光源保持体を保持することができればよい。上記液晶表示装置は、光源挿設用部材の外側に更に別の部材が配置された構成であってもよいし、配置されない構成であってもよい。光源挿設用部材の材質としては特に限定されないが、光源保持体と同様の観点から、熱伝導性に優れた材料を含んで構成されることが好ましく、また、加工性に優れていることが好ましく、例えば、金属が好適に用いられ、なかでも安価かつ軽量であるアルミニウムを含んで構成されることがより好ましい。【００１７】
上記光源保持体は、光源挿設用部材に挿設される。これにより、光源及び光源保持体をスライドさせてバックライトから一体的に抜き差しすることができるので、光源の交換が可能となる。このように、本発明の第１の液晶表示装置において、光源保持体は、それ自身をスライドさせる機能を有するものでもある。光源保持体及び光源挿設用部材の形状としては特に限定されず、光源保持体が光源挿設用部材に沿ってスライドされるような形状であればよいが、光源から射出される光の経路を確保する観点から、光源保持体及び光源挿設用部材は、光源から射出される光の経路を妨害しない形状であることが好ましく、なかでも光源保持体は、少なくとも一方の面が開放された略直方体又は略板状体であることがより好ましい。【００１８】
上記光源保持体及び／又は光源挿設用部材は、突起部を有し、上記突起部で互いに接する構造を有する。すなわち、上記光源保持体及び／又は光源挿設用部材は、突起部を有し、上記光源保持体及び光源挿設用部材は、突起部で互いに接する構造を有する。これにより、光源保持体及び光源挿設用部材の間の接触面積を小さくすることができるので、光源保持体の変形、抜き差し不能等の不具合を効果的に防止しつつ、光源の交換を容易に行うことができる。また、このような本発明の効果を充分に発揮する観点から、本発明の第１の液晶表示装置において、上記突起部は、光源保持体及び光源挿設用部材の間の摩擦を小さくするためのものであることが好ましい。したがって、上記突起部と、単に他の設計上の理由から光源保持体及び／又は光源挿設用部材に設けられた突起部とは、通常明確に区別される。突起部の形状としては、光源保持体及び光源挿設用部材の間の接触面積が小さくなればよいが、突起部の断面形状としては、略四角形、略三角形等の多角形、半円、半楕円等の略半円形及び波形が好適である。突起部の個数としては特に限定されないが、光源保持体の保持安定性を充分確保する観点から、複数配置されることが好ましく、光源保持体及び光源挿設用部材が対面する領域において略均等に複数配置されることがより好ましい。突起部の材質としては特に限定されないが、光源保持体又は光源挿設用部材と同じ材料であることが好ましい。これにより、突起部と光源保持体又は光源挿設用部材とを一体的に形成することができ、製造プロセスを簡略化することができる。【００１９】
本発明の第１の液晶表示装置において、バックライトの方式は特に限定されないが、汎用性の観点から、直下型バックライト又はエッジライト型（サイドライト型）バックライトであることが好ましい。本発明の第１の液晶表示装置が直下型バックライトを備える場合には、上記バックライトは、光源が液晶表示パネルの後方に配置され、上記光源保持体は、液晶表示パネル及び光源の間以外の光源の周辺領域に配置されることが好ましい。これにより、直下型バックライトを備える液晶表示装置において、光源を保持する部材の変形、抜き差し不能等の不具合を効果的に防止しつつ、光源の交換を容易に行うことができる。【００２０】
また、本発明の第１の液晶表示装置がエッジライト型バックライトを備える場合には、上記バックライトは、更に液晶表示パネルの後方に導光板を有し、光源が導光板の側方に配置され、上記光源保持体は、導光板及び光源の間以外の光源の周辺領域に配置されることが好ましい。これにより、エッジライト型バックライトを備える液晶表示装置において、光源を保持する部材の変形、抜き差し不能等の不具合を効果的に防止しつつ、光源の交換を容易に行うことができる。特にエッジライト型バックライトにおいて、光源保持体は、通常、細長く強度が弱いため、更に非常に狭いスペースに挿設されるため、光源の交換時に、光源保持体が変形する、抜き差しができなくなる等の不具合が発生しやすい。したがって、エッジライト型バックライトを備えた液晶表示装置に本発明を適用することによって、本発明の効果をより一層発揮することができる。【００２１】
本発明の第１の液晶表示装置がエッジライト型バックライトを備える場合には、上記光源保持体及び／又は光源挿設用部材は、（１）前面側又は背面側に突起部を有することが好ましく、（２）前面側に突起部を有することがより好ましい。上記（１）の形態によれば、光源のリード線の配置スペースを充分に確保することができる。また、上記（２）の形態によれば、光源保持体の背面側から光源の熱を効率的に放出することができるので、液晶表示パネルの表示品位を良好に保つことができる。なお、本明細書において、前面側及び背面側とは、光源保持体及び光源挿設用部材がバックライトに装着された状態において、バックライトの発光面側及びその反対側のことを意味する。また、本明細書において、光源挿設用部材が前面側又は背面側に突起部（部材）を有するとは、バックライトの前面側又は背面側に配置された光源挿設用部材が、光源保持体と対面する領域に突起部（部材）を有することを意味する。
以下に本発明の第２の液晶表示装置を詳述する。なお、本発明の第２の液晶表示装置と本発明の第１の液晶表示装置とにおける共通の部材については、本発明の第２の液晶表示装置においても本発明の第１の液晶表示装置と同様であるので、その詳細な説明は省略する。【００２２】
本発明の第２の液晶表示装置は、本発明の第１の液晶表示装置における突起部の代わりに曲面部を有するので、本発明の第１の液晶表示装置と同様にして、光源保持体の変形、抜き差し不能等の不具合を効果的に防止しつつ、光源の交換を容易に行うことができる。曲面部の形状としては、光源保持体及び光源挿設用部材の間の接触面積が小さくなればよいが、曲面部の断面形状としては、円弧及び楕円弧が好適である。曲面部の個数としては特に限定されないが、光源挿設用部材による光源保持体の保持安定性を充分確保する観点から、光源保持体及び光源挿設用部材が対面する全域にわたって１つ配置される形態、及び、光源保持体及び光源挿設用部材が対面する領域において略均等に複数配置される形態が好ましい。曲面部の材質としては特に限定されないが、光源保持体又は光源挿設用部材と同じ材料であることが好ましい。これにより、曲面部と光源保持体又は光源挿設用部材とを一体的に形成することができ、製造プロセスを簡略化することができる。【００２３】
本発明の第２の液晶表示装置の構成としては、このような構成要素を必須として形成されるものである限り、その他の構成要素を含んでいても含んでいなくてもよく、特に限定されるものではないが、通常、液晶表示パネルを備える。なお、本発明の第２の液晶表示装置において、液晶表示パネルは、一般的な構成を有していればよく、本発明の第１の液晶表示装置の説明で例示した液晶モード、液晶駆動方式等の表示形式が挙げられる。【００２４】
本発明の第２の液晶表示装置における曲面部以外の構成は、本発明の第１の液晶表示装置における突起部以外の構成と同様であるので、本発明の第１の液晶表示装置と同様の観点から、上記曲面部は、光源保持体及び光源挿設用部材の間の摩擦を小さくするためのものであることが好ましい。また、上記バックライトは、光源が液晶表示パネルの後方に配置され、上記光源保持体は、液晶表示パネル及び光源の間以外の光源の周辺領域に配置されることが好ましい。更に、上記バックライトは、更に液晶表示パネルの後方に導光板を有し、光源が導光板の側方に配置され、上記光源保持体は、導光板及び光源の間以外の光源の周辺領域に配置される形態（以下、「第１形態」ともいう。）が好ましい。また、上記第１形態においては、上記光源保持体及び／又は光源挿設用部材は、前面側又は背面側に曲面部を有することが好ましく、前面側に曲面部を有することがより好ましい。
なお、本発明の第１の液晶表示装置において詳述したその他の形態については、本発明の第２の液晶表示装置においても必要に応じて適用することができる。
以下に本発明の第３の液晶表示装置を詳述する。なお、本発明の第３の液晶表示装置と本発明の第１の液晶表示装置とにおける共通の部材については、本発明の第３の液晶表示装置においても本発明の第１の液晶表示装置と同様であるので、その詳細な説明は省略する。【００２５】
本発明の第３の液晶表示装置は、光源保持体及び滑走部材と、それらが一体的に挿設される光源挿設用部材とを有するバックライトを備える。本発明の第３の液晶表示装置の構成としては、このような構成要素を必須として形成されるものである限り、その他の構成要素を含んでいても含んでいなくてもよく、特に限定されるものではないが、通常、液晶表示パネルを備える。なお、本発明の第３の液晶表示装置において、液晶表示パネルは、一般的な構成を有していればよく、本発明の第１の液晶表示装置の説明で例示した液晶モード、液晶駆動方式等の表示形式が挙げられる。【００２６】
上記滑走部材は、光源保持体をスライドさせる機能を有するものである。また、滑走部材は、通常、光源保持体に固定され、光源保持体及び滑走部材が、一体的に光源挿設用部材に挿設される。これにより、光源、光源保持体及び滑走部材をスライドさせてバックライトから一体的に抜き差しすることができるので、光源の交換が可能となる。滑走部材の形状としては特に限定されず、滑走部材が光源挿設用部材に沿ってスライドされるような形状であればよいが、滑走部材及び光源挿説用部材の間の接触面積を小さくする観点から、滑走部材の形状は、略直線状（略棒状）であることが好ましい。滑走部材の材質としては特に限定されないが、平滑性、加工性、強度及び熱安定性のうちの少なくとも１つに優れた樹脂が好ましく、なかでも、平滑性、加工性、強度及び熱安定性に優れた樹脂がより好ましく、例えば、ポリカーボネイト等が好適である。【００２７】
このように、本発明の第３の液晶表示装置におけるバックライトは、光源保持体をスライドさせる滑走部材を有する。したがって、本発明の第３の液晶表示装置において、光源保持体は、それ自身をスライドさせる機能を有してもよいし、有さなくてもよい。【００２８】
上記滑走部材及び／又は光源挿設用部材は、突起部を有し、上記突起部で互いに接する構造を有する。すなわち、上記滑走部材及び／又は光源挿設用部材は、突起部を有し、上記滑走部材及び光源挿設用部材は、突起部で互いに接する構造を有する。これにより、本発明の第１の液晶表示装置と同様にして、光源保持体及び滑走部材の変形、抜き差し不能等の不具合を効果的に防止しつつ、光源の交換を容易に行うことができる。突起部の形状としては、滑走部材及び光源挿設用部材の間の接触面積が小さくなればよいが、突起部の断面形状としては、略四角形、略三角形等の多角形、半円、半楕円等の略半円形及び波形が好適である。突起部の個数としては特に限定されないが、光源挿設用部材による光源保持体及び滑走部材の保持安定性を充分確保する観点から、複数配置されることが好ましく、滑走部材及び光源挿設用部材が対面する領域において略均等に複数配置されることがより好ましい。突起部の材質としては特に限定されないが、滑走部材又は光源挿設用部材と同じ材料であることが好ましい。これにより、突起部と滑走部材又は光源挿設用部材とを一体的に形成することができ、製造プロセスを簡略化することができる。また、このような本発明の効果を充分に発揮する観点から、上記突起部は、滑走部材及び光源挿設用部材の間の摩擦を小さくするためのものであることが好ましい。【００２９】
本発明の第３の液晶表示装置において、バックライトの方式は特に限定されないが、汎用性と設計の容易性との観点から、直下型バックライトであることが好ましい。すなわち、上記バックライトは、光源が液晶表示パネルの後方に配置され、上記光源保持体は、液晶表示パネル及び光源の間以外の光源の周辺領域に配置され、上記滑走部材は、光源保持体の両端部に配置され、かつ背面側に突起部を有することが好ましい。これにより、直下型バックライトを備える液晶表示装置において、光源を保持する部材（光源保持体）と光源保持体をスライドさせる部材（滑走部材）との変形、抜き差し不能等の不具合を効果的に防止しつつ、光源の交換を容易に行うことができる。なお、滑走部材は、光源保持体の両端部に配置されるとは、発光面側から見たときに光源保持体の対向する端部（周縁部）に滑走部材が配置されることを意味する。また、直下型バックライトにおいて、光源保持体の発光面側から見たときの形状（平面形状）は、通常、略方形であるので、滑走部材は、平面形状が略方形である光源保持体の対向する二辺に沿って配置される形態が好ましく、更に、略直線状の滑走部材が、平面形状が略方形である光源保持体の対向する二辺に沿って背面側に配置される形態がより好ましい。【００３０】
また、本発明の第３の液晶表示装置が直下型バックライトを備える場合には、上記バックライトは、複数の光源保持体が並設され、上記光源保持体の少なくとも１つは、複数の光源を保持することが好ましく、上記バックライトは、複数の光源保持体が並設され、上記光源保持体は、それぞれ複数の光源を保持することがより好ましい。直下型バックライトにおいては、液晶表示パネルのサイズが大きくなるに従い光源保持体のサイズも大きくなる。したがって、パネルサイズを大型化した場合には、一般的に、光源保持体の強度を保つことは困難である。しかしながら、このように光源保持体を複数に分割して配置することによって、パネルサイズが大きい場合でも、光源保持体の強度を充分に確保することができる。また、光源保持体に複数の光源を配置することによって、複数の光源を一度に交換できるので、光源の交換を効率的に行うことができる。並設される光源保持体の個数は適宜設定すればよいが、光源保持体の強度の確保と光源の交換の効率性との観点から、２個以上であることが好ましい。また、各光源保持体に保持される光源の個数は、所望の輝度に応じて適宜設定すればよい。
以下に本発明の第４の液晶表示装置を詳述する。なお、本発明の第４の液晶表示装置と本発明の第１及び第３の液晶表示装置とにおける共通の部材については、本発明の第４の液晶表示装置においても本発明の第１及び第３の液晶表示装置と同様であるので、その詳細な説明は省略する。【００３１】
本発明の第４の液晶表示装置は、本発明の第３の液晶表示装置における突起部の代わりに曲面部を有するので、本発明の第３の液晶表示装置と同様にして、光源保持体及び滑走部材の変形、抜き差し不能等の不具合を効果的に防止しつつ、光源の交換を容易に行うことができる。曲面部の形状としては、滑走部材及び光源挿設用部材の間の接触面積が小さくなればよいが、曲面部の断面形状としては、円弧及び楕円弧が好適である。曲面部の個数としては特に限定されないが、光源挿設用部材による光源保持体及び滑走部材の保持安定性を充分確保する観点から、滑走部材及び光源挿設用部材が対面する全域にわたって１つ配置される形態、及び、滑走部材及び光源挿設用部材が対面する領域において略均等に複数配置される形態が好ましい。曲面部の材質としては特に限定されないが、滑走部材又は光源挿設用部材と同じ材料であることが好ましい。これにより、曲面部と滑走部材又は光源挿設用部材とを一体的に形成することができ、製造プロセスを簡略化することができる。【００３２】
本発明の第４の液晶表示装置の構成としては、このような構成要素を必須として形成されるものである限り、その他の構成要素を含んでいても含んでいなくてもよく、特に限定されるものではないが、通常、液晶表示パネルを備える。なお、本発明の第４の液晶表示装置において、液晶表示パネルは、一般的な構成を有していればよく、本発明の第１の液晶表示装置の説明で例示した液晶モード、液晶駆動方式等の表示形式が挙げられる。【００３３】
本発明の第４の液晶表示装置における曲面部以外の構成は、本発明の第３の液晶表示装置における突起部以外の構成と同様であるので、本発明の第３の液晶表示装置と同様の観点から、上記曲面部は、滑走部材及び光源挿設用部材の間の摩擦を小さくするためのものであることが好ましい。また、上記バックライトは、光源が液晶表示パネルの後方に配置され、上記光源保持体は、液晶表示パネル及び光源の間以外の光源の周辺領域に配置され、上記滑走部材は、光源保持体の両端部に配置され、かつ背面側に曲面部を有する形態（以下、「第２形態」ともいう。）が好ましい。また、上記第２形態においては、上記バックライトは、複数の光源保持体が並設され、上記光源保持体の少なくとも１つは、複数の光源を保持することが好ましく、上記バックライトは、複数の光源保持体が並設され、上記光源保持体は、それぞれ複数の光源を保持する形態がより好ましい。
なお、本発明の第１及び第３の液晶表示装置において詳述したその他の形態については、本発明の第４の液晶表示装置においても必要に応じて適用することができる。【００３４】
以上説明したように、本発明の第１及び第２の液晶表示装置においては、光源保持体及び／又は光源挿設用部材が、突起部又は曲面部を有し、突起部又は曲面部で互いに接することによって、本発明の効果が得られることとなる。したがって、このような突起部又は曲面部を有する光源保持体、光源挿設用部材及びバックライトもまた本発明の１つである。また、本発明の第３及び第４の液晶表示装置においては、滑走部材及び／又は光源挿設用部材が、突起部又は曲面部を有し、突起部又は曲面部で互いに接することによって、本発明の効果が得られることとなる。したがって、このような突起部又は曲面部を有するバックライトもまた本発明の１つである。【００３５】
すなわち、本発明は、光源挿設用部材に挿設される光源保持体であって、上記光源保持体は、摩擦を小さくするための突起部を有する光源保持体（以下、「本発明の第１の光源保持体」ともいう。）でもある。このような光源保持体を液晶表示装置が備えることによって、光源保持体の変形、抜き差し不能等の不具合を効果的に防止しつつ、光源の交換を容易かつ安全に行うことができる。したがって、本発明の第１の光源保持体は、バックライトに好適に用いることができる。【００３６】
本発明の第１の光源保持体の構成としては、このような構成要素を必須として形成されるものである限り、その他の構成要素を含んでいても含んでいなくてもよく、特に限定されるものではない。また、本発明の第１の光源保持体の好ましい形態等としては、本発明の第１の液晶表示装置における光源保持体と同様の形態が挙げられる。なかでも、本発明の第１の光源保持体は、エッジライト型バックライト用又は直下型バックライト用の光源保持体であることが好ましい。また、本発明の第１の光源保持体がエッジライト型バックライト用の光源保持体である場合には、上記光源保持体は、前面側又は背面側に突起部を有することが好ましく、前面側に突起部を有することがより好ましい。【００３７】
本発明はまた、光源挿設用部材に挿設される光源保持体であって、上記光源保持体は、摩擦を小さくするための曲面部を有する光源保持体（以下、「本発明の第２の光源保持体」ともいう。）でもある。このような光源保持体を液晶表示装置が備えることによって、光源保持体の変形、抜き差し不能等の不具合を効果的に防止しつつ、光源の交換を容易かつ安全に行うことができる。したがって、本発明の第２の光源保持体は、バックライトに好適に用いることができる。【００３８】
本発明の第２の光源保持体の構成としては、このような構成要素を必須として形成されるものである限り、その他の構成要素を含んでいても含んでいなくてもよく、特に限定されるものではない。また、本発明の第２の光源保持体の好ましい形態等としては、本発明の第２の液晶表示装置における光源保持体と同様の形態が挙げられる。なかでも、本発明の第２の光源保持体は、エッジライト型バックライト用又は直下型バックライト用の光源保持体であることが好ましい。また、本発明の第２の光源保持体がエッジライト型バックライト用の光源保持体である場合には、上記光源保持体は、前面側又は背面側に曲面部を有することが好ましく、前面側に曲面部を有することがより好ましい。【００３９】
本発明はまた、光源保持体が挿設される光源挿設用部材であって、上記光源挿設用部材は、摩擦を小さくするための突起部を有する光源挿設用部材（以下、「本発明の第１の光源挿設用部材」ともいう。）でもある。このような光源挿設用部材を液晶表示装置が備えることによって、光源保持体の変形、抜き差し不能等の不具合を効果的に防止しつつ、光源の交換を容易に行うことができる。したがって、本発明の第１の光源挿設用部材は、バックライトに好適に用いることができる。【００４０】
本発明の第１の光源挿設用部材の構成としては、このような構成要素を必須として形成されるものである限り、その他の構成要素を含んでいても含んでいなくてもよく、特に限定されるものではない。また、本発明の第１の光源挿設用部材の好ましい形態等としては、本発明の第１の液晶表示装置における光源挿設用部材と同様の形態が挙げられる。なかでも、本発明の第１の光源挿設用部材は、エッジライト型バックライト用又は直下型バックライト用の光源挿設用部材であることが好ましい。また、本発明の第１の光源挿設用部材がエッジライト型バックライト用の光源挿設用部材である場合には、上記光源挿設用部材は、前面側又は背面側に突起部を有することが好ましく、前面側に突起部を有することがより好ましい。【００４１】
本発明はまた、光源保持体が挿設される光源挿設用部材であって、上記光源挿設用部材は、摩擦を小さくするための曲面部を有する光源挿設用部材（以下、「本発明の第２の光源挿設用部材」ともいう。）でもある。このような光源挿設用部材を液晶表示装置が備えることによって、光源保持体の変形、抜き差し不能等の不具合を効果的に防止しつつ、光源の交換を容易に行うことができる。したがって、本発明の第２の光源挿設用部材は、バックライトに好適に用いることができる。【００４２】
本発明の第２の光源挿設用部材の構成としては、このような構成要素を必須として形成されるものである限り、その他の構成要素を含んでいても含んでいなくてもよく、特に限定されるものではない。また、本発明の第２の光源挿設用部材の好ましい形態等としては、本発明の第２の液晶表示装置における光源挿設用部材と同様の形態が挙げられる。なかでも、本発明の第２の光源挿設用部材は、エッジライト型バックライト用又は直下型バックライト用の光源挿設用部材であることが好ましい。また、本発明の第２の光源挿設用部材がエッジライト型バックライト用の光源挿設用部材である場合には、上記光源挿設用部材は、前面側又は背面側に曲面部を有することが好ましく、前面側に曲面部を有することがより好ましい。【００４３】
本発明はまた、光源保持体及びそれが挿設される光源挿設用部材を有するバックライトであって、上記光源保持体及び／又は光源挿設用部材は、突起部を有し、上記突起部で互いに接する構造を有するバックライト（以下、「本発明の第１のバックライト」ともいう。）でもある。このようなバックライトを液晶表示装置が備えることによって、光源保持体の変形、抜き差し不能等の不具合を効果的に防止しつつ、光源の交換を容易に行うことができる。したがって、本発明の第１のバックライトは、液晶表示装置に好適に用いることができる。【００４４】
本発明の第１のバックライトの構成としては、このような構成要素を必須として形成されるものである限り、その他の構成要素を含んでいても含んでいなくてもよく、特に限定されるものではない。また、本発明の第１のバックライトにおける突起部、光源保持体及び光源挿設用部材の好ましい形態等としては、本発明の第１の液晶表示装置における突起部、光源保持体及び光源挿設用部材と同様の形態が挙げられる。なかでも、上記突起部は、光源保持体及び光源挿設用部材の間の摩擦を小さくするためのものであること好ましい。また、上記バックライトは、光源がバックライトの発光面の後方に配置され、上記光源保持体は、バックライトの発光面及び光源の間以外の光源の周辺領域に配置されることが好ましい。更に、上記バックライトは、更にバックライトの発光面の後方に導光板を有し、光源が導光板の側方に配置され、上記光源保持体は、導光板及び光源の間以外の光源の周辺領域に配置される形態（以下、「第３形態」ともいう。）が好ましい。また、上記第３形態においては、上記光源保持体及び／又は光源挿設用部材は、前面側又は背面側に突起部を有することが好ましく、前面側に突起部を有することがより好ましい。【００４５】
本発明はまた、光源保持体及びそれが挿設される光源挿設用部材を有するバックライトであって、上記光源保持体及び／又は光源挿設用部材は、曲面部を有し、上記曲面部で互いに接する構造を有するバックライト（以下、「本発明の第２のバックライト」ともいう。）でもある。このようなバックライトを液晶表示装置が備えることによって、光源保持体の変形、抜き差し不能等の不具合を効果的に防止しつつ、光源の交換を容易に行うことができる。したがって、本発明の第２のバックライトは、液晶表示装置に好適に用いることができる。【００４６】
本発明の第２のバックライトの構成としては、このような構成要素を必須として形成されるものである限り、その他の構成要素を含んでいても含んでいなくてもよく、特に限定されるものではない。また、本発明の第２のバックライトにおける曲面部、光源保持体及び光源挿設用部材の好ましい形態等としては、本発明の第２の液晶表示装置における曲面部、光源保持体及び光源挿設用部材と同様の形態が挙げられる。なかでも、上記曲面部は、光源保持体及び光源挿設用部材の間の摩擦を小さくするためのものであること好ましい。また、上記バックライトは、光源がバックライトの発光面の後方に配置され、上記光源保持体は、バックライトの発光面及び光源の間以外の光源の周辺領域に配置されることが好ましい。更に、上記バックライトは、更にバックライトの発光面の後方に導光板を有し、光源が導光板の側方に配置され、上記光源保持体は、導光板及び光源の間以外の光源の周辺領域に配置される形態（以下、「第４形態」ともいう。）が好ましい。また、上記第４形態においては、上記光源保持体及び／又は光源挿設用部材は、前面側又は背面側に突起部を有することが好ましく、前面側に突起部を有することがより好ましい。【００４７】
本発明は更に、光源保持体及び滑走部材と、それらが一体的に挿設される光源挿設用部材とを有するバックライトであって、上記滑走部材及び／又は光源挿設用部材は、突起部を有し、上記突起部で互いに接する構造を有するバックライト（以下、「本発明の第３のバックライト」ともいう。）でもある。このようなバックライトを液晶表示装置が備えることによって、光源保持体及び滑走部材の変形、抜き差し不能等の不具合を効果的に防止しつつ、光源の交換を容易に行うことができる。したがって、本発明の第３のバックライトは、液晶表示装置に好適に用いることができる。【００４８】
本発明の第３のバックライトの構成としては、このような構成要素を必須として形成されるものである限り、その他の構成要素を含んでいても含んでいなくてもよく、特に限定されるものではない。また、本発明の第３のバックライトにおける突起部、光源保持体、滑走部材及び光源挿設用部材の好ましい形態等としては、本発明の第３の液晶表示装置における突起部、光源保持体、滑走部材及び光源挿設用部材と同様の形態が挙げられる。なかでも、上記突起部は、滑走部材及び光源挿設用部材の間の摩擦を小さくするためのものであること好ましい。また、上記バックライトは、光源がバックライトの発光面の後方に配置され、上記光源保持体は、バックライトの発光面及び光源の間以外の光源の周辺領域に配置され、上記滑走部材は、光源保持体の両端部に配置され、かつ背面側に突起部を有する形態（以下、「第５形態」ともいう。）が好ましい。また、上記第５形態においては、上記バックライトは、複数の光源保持体が並設され、上記複数の光源保持体の少なくとも１つは、複数の光源を保持することが好ましく、上記バックライトは、複数の光源保持体が並設され、上記複数の光源保持体は、それぞれ複数の光源を保持する形態がより好ましい。【００４９】
本発明はそして、光源保持体及び滑走部材と、それらが一体的に挿設される光源挿設用部材とを有するバックライトであって、上記滑走部材及び／又は光源挿設用部材は、曲面部を有し、上記曲面部で互いに接する構造を有するバックライト（以下、「本発明の第４のバックライト」ともいう。）でもある。このようなバックライトを液晶表示装置が備えることによって、光源保持体及び滑走部材の変形、抜き差し不能等の不具合を効果的に防止しつつ、光源の交換を容易に行うことができる。したがって、本発明の第４のバックライトは、液晶表示装置に好適に用いることができる。【００５０】
本発明の第４のバックライトの構成としては、このような構成要素を必須として形成されるものである限り、その他の構成要素を含んでいても含んでいなくてもよく、特に限定されるものではない。また、本発明の第４のバックライトにおける曲面部、光源保持体、滑走部材及び光源挿設用部材の好ましい形態等としては、本発明の第４の液晶表示装置における曲面部、光源保持体、滑走部材及び光源挿設用部材と同様の形態が挙げられる。なかでも、上記曲面部は、滑走部材及び光源挿設用部材の間の摩擦を小さくするためのものであること好ましい。また、上記バックライトは、光源がバックライトの発光面の後方に配置され、上記光源保持体は、バックライトの発光面及び光源の間以外の光源の周辺領域に配置され、上記滑走部材は、光源保持体の両端部に配置され、かつ背面側に突起部を有する形態（以下、「第６形態」ともいう。）が好ましい。また、上記第６形態においては、上記バックライトは、複数の光源保持体が並設され、上記複数の光源保持体の少なくとも１つは、複数の光源を保持することが好ましく、上記バックライトは、複数の光源保持体が並設され、上記複数の光源保持体は、それぞれ複数の光源を保持する形態がより好ましい。
なお、上記第３〜第６形態において、バックライトの発光面及び光源の間以外の光源の周辺領域とは、バックライトの発光面側以外の光源の周辺領域を意味する。【００５１】
上述のように、本発明の液晶表示装置、光源保持体、光源挿設用部材及びバックライトは、不具合を防止しつつ、光源の交換を容易に行うことができるという共通の作用効果を有する。したがって、本発明の液晶表示装置は、本発明の第１〜４の液晶表示装置を適宜組み合わせた形態であってもよく、また、本発明の光源保持体は、本発明の第１及び第２の光源保持体を適宜組み合わせた形態であってもよく、更に、本発明の光源挿設用部材は、本発明の第１及び第２の光源挿設用部材を適宜組み合わせた形態であってもよく、そして、本発明のバックライトは、本発明の第１〜４のバックライトを適宜組み合わせた形態であってもよい。
【発明の効果】
【００５２】
本発明によれば、光源保持体若しくは滑走部材及び／又は光源挿設用部材が、突起部及び／又は曲面部を有し、かつ、光源保持体又は滑走部材と光源挿設用部材とが突起部及び／又は曲面部で互いに接する構造を有することから、光源を保持する部材等の変形、抜き差し不能等の不具合を効果的に防止しつつ、光源の交換を容易に行うことができる。
【発明を実施するための最良の形態】
【００５３】
以下に実施形態を掲げ、本発明を図面を参照して更に詳細に説明するが、本発明はこれらの実施形態のみに限定されるものではない。【００５４】
（実施形態１）
図１及び図２を用いて、本発明に係る実施形態１の液晶表示装置について説明する。図１は、図２（ａ）中のＸ−Ｙ線における本実施形態の液晶表示装置の断面模式図である。図２（ａ）は、光源保持体がバックライトに完全に挿入された状態を示す本実施形態の液晶表示装置の斜視模式図であり、（ｂ）は、光源保持体と、光源保持体に保持された光源とがバックライトから一部抜き出された状態を示す本実施形態の液晶表示装置の斜視模式図である。【００５５】
本実施形態の液晶表示装置は、バックライト１３ａと、バックライト１３ａの前面側に配置されたアクティブマトリクス駆動方式の液晶表示パネル１と、液晶表示パネル１をバックライト１３ａに固定するためのフロントベゼル３とを備える。【００５６】
液晶表示パネル１は、一般的な液晶表示パネルと同様の構成を有するので、図面を簡略化するために各構成要素の図示は省略した。なお、液晶表示パネル１は、ガラス基板上に薄膜トランジスタ（ＴＦＴ）、バスライン、画素電極、容量電極等が配置されたＴＦＴ基板と、ガラス基板上にカラーフィルタ（ＣＦ）、ブラックマトリクス、共通電極等が配置されたＣＦ基板と、両基板間に狭持された液晶層とを有する。また、液晶表示パネル１は、両基板の外側に偏光板１４を備えるとともに、偏光板１４と少なくとも一方の基板との間に位相差板（図示せず）を有する。【００５７】
バックライト１３ａは、液晶表示パネル１の後方に配置された導光板１０と、導光板１０の背面側に配置された反射シート９と、導光板１０の前面側に配置された光学シート類２と、導光板１０の側方に配置された光源８と、導光板１０及び光源８の間以外の光源８の周辺領域に配置された光源保持体６ａと、光源保持体６ａの前面側に配置されたＰベゼル４ａと、光源保持体６ａ及び反射シート９の背面側に配置されたリアベゼル７ａとを有する、いわゆるエッジライト型バックライトである。【００５８】
導光板１０は、光源から入射した光を自身の背面により反射させ、液晶表示パネル１側に面状に分散させて射出させる光学部材である。導光板１０の材質としては、アクリル系樹脂等を用いればよい。反射シート９は、導光板１０の背面から光が漏れるのを防ぐための部材であり、高い反射率を有する樹脂製のシート等を用いればよい。光学シート類２は、導光板１０から射出された面状の光の集光、拡散等を行うことによって、指向性等の光学特性を最適化する部材である。光学シート類２としては、拡散シート、プリズムシート、レンズシート等を用いればよい。【００５９】
光源８としては、線状光源であるＣＣＦＴが２本用いられている。また、光源８の両端部はゴム等の樹脂製保護部材（図示せず）で保護されるとともに、リード線５が引き出されている。なお、光源８としては、点状光源であるＬＥＤを光源保持体６ａ上に多数又は１つ配置した形態であってもよく、これにより、低消費電力化と、長寿命化と、多色化による色再現範囲の拡大とが可能になる。【００６０】
光源保持体６ａは、断面形状が略コの字状の直方体、すなわち導光板１０側の面が開放された略直方体である形状を有し、そして光源８の端部をゴム等の樹脂製保護部材（図示せず）を介して保持している。また、光源保持体６ａは、アルミニウムに高反射率を有するＰＥＴ等の樹脂シート（図示せず）が光源と向き合う面に貼られたものであり、光源８から射出された光を反射する反射体としても機能する。これにより、より効率的に導光板１０に光を供給することができる。【００６１】
Ｐベゼル４ａは、光源保持体６ａ、液晶表示パネル１及び導光板１０に接して前面側に配置されている。リアベゼル７ａは、光源保持体６ａ及び反射シート９に接して背面側に配置されている。そして、Ｐベゼル４ａが、リアベゼル７ａに掛合されることによって、バックライト１３ａの各構成部材が保持されている。【００６２】
また、Ｐベゼル４ａは、樹脂を用いて形成され、一方、リアベゼル７ａは、アルミニウムを用いて形成される。このように、光源保持体６ａ及びリアベゼル７ａは、熱伝導性に優れたアルミニウムを含んで構成され、かつある程度の面積で接触することから、本実施形態の液晶表示装置は、光源８で発生した熱を光源保持体６ａ及びリアベゼル７ａを通して外部に効率的に放出することができる。【００６３】
光源保持体６ａは、Ｐベゼル４ａ及びリアベゼル７ａの間の隙間に抜き差し可能に挿設されている。このように、光源保持体６ａが、Ｐベゼル４ａ及びリアベゼル７ａと完全に固着されずに設置されることによって、図２（ａ）及び（ｂ）に示すように、光源８及び光源保持体６ａをバックライト１３ａから一体的に抜き差しすることができる。なお、光源８及び光源保持体６ａがバックライト１３ａに完全に挿入された状態においては、光源保持体６ａ及びリアベゼル７ａは、ネジ等の固定部材（図示せず）で固定されている。このように、本実施形態の液晶表示装置においては、Ｐベゼル４ａ及びリアベゼル７ａが光源挿設用部材として機能する。なお、後述する実施形態２〜８の液晶表示装置においても、Ｐベゼル及びリアベゼルは、光源挿設用部材として機能する。【００６４】
また、光源保持体６ａは、前面側に突起部１１ａを有し、突起部１１ａでＰベゼル４ａに接する構造を有している。これにより、光源保持体６ａ及びＰベゼル４ａの間の接触面積が小さくなり、光源保持体６ａを抜き差しするときの光源保持体６ａ及びＰベゼル４ａの間の摩擦を小さくすることができる。また、突起部１１ａは、図３（ａ）に示すように、突起部１１ａが点状に配置されている。なお、突起部の配置形態としては、図３（ｂ）に示すように、突起部１１ａｂが線状に配置される形態であってもよいが、光源保持体及び光源挿設用部材の間の摩擦をより小さくする観点からは、点状に配置される形態が好ましい。また、突起部１１ａは、図１及び図３に示すように、光源保持体のスライド方向に沿って２列配置されているが、２列以上配置されてもよいし、１列だけ配置されてもよい。なお、突起部１１ａは、光源保持体６ａと同じアルミニウムからなり、押出法、鋳造法、プレス加工等により光源保持体６ａと一体的に形成することができる。また、突起部１１ａは、光源保持体６ａに接合法等により別途取り付けることによって形成してもよい。【００６５】
このように、本実施形態の液晶表示装置は、光源保持体を抜き差しするときの光源保持体及びベゼルの間の摩擦が小さいことから、エッジライト型バックライトを備えた液晶表示装置において、光源を保持する部材の変形、抜き差し不能等の不具合を効果的に防止しつつ、光源の交換を容易に行うことができる。【００６６】
（実施形態２）
図４を用いて、本発明に係る実施形態２の液晶表示装置について説明する。図４は、本実施形態の液晶表示装置における光源保持体の断面模式図である。本実施形態の液晶表示装置は、実施形態１の液晶表示装置と光源保持体の形態が異なるだけなので、実施形態１と実施形態２とで重複する内容については説明を省略する。【００６７】
本実施形態の液晶表示装置において、光源保持体は、光源挿設用部材と略点又は略線で接する構造の突起部を有する。このような突起部としては、図４（ａ）〜（ｃ）に示すような、断面形状が略半円形の突起部１１ｂ、略三角形の突起部１１ｃ、波形の突起部１１ｄ等が挙げられる。なお、本明細書において、断面とは、バックライトの発光面に対して垂直であり、かつ光源保持体のスライド方向に対して垂直な面を意味する。これにより、突起部（断面形状は略四角形）がベゼルと面で接する構造を有する実施形態１の液晶表示装置に比べて、本実施形態の液晶表示装置は、光源保持体を抜き差しするときの光源保持体及びベゼルの間の摩擦をより小さくすることができるので、本発明の効果をより一層奏することができる。なお、突起部が、光源挿設用部材と略点で接するためには、図３（ａ）で示したように、図４（ａ）〜（ｃ）の突起部を点状に配置すればよく、一方、突起部が、光源挿設用部材と略線で接するためには、図３（ｂ）で示したように、図４（ａ）〜（ｃ）の突起部を線状に配置すればよい。また、本発明において、光源保持体及び／又は光源挿設用部材は、図４（ｃ）で示したように、突起部が配置されない側に突起部と略同一の断面形状を有するくぼみ１２が形成されていてもよい。【００６８】
（実施形態３）
図５を用いて、本発明に係る実施形態３の液晶表示装置について説明する。図５は、本実施形態の液晶表示装置の断面模式図である。本実施形態の液晶表示装置は、実施形態１の液晶表示装置と光源保持体及びベゼルの形態が異なるだけなので、実施形態１と実施形態３とで重複する内容については説明を省略する。なお、本実施形態において、実施形態１の液晶表示装置と同様の構成部材については、同じ符号を付した。【００６９】
本実施形態の液晶表示装置において、図５に示すように、光源保持体６ｅは突起部を有さず、Ｐベゼル４ｅが突起部１１ｅを有している。これにより、実施形態１の液晶表示装置と同様にして、本実施形態の液晶表示装置は、光源を保持する部材の変形、抜き差し不能等の不具合を効果的に防止しつつ、光源の交換を容易に行うことができる。なお、突起部をＰベゼル４ｅ等の樹脂に設ける場合には、突起部１１ｅは、成型加工等によりＰベゼル４ｅと一体的に形成することができる。【００７０】
（実施形態４）
図６を用いて、本発明に係る実施形態４の液晶表示装置について説明する。図６は、本実施形態の液晶表示装置の断面模式図である。本実施形態の液晶表示装置は、実施形態１の液晶表示装置と光源保持体及びベゼルの形態が異なるだけなので、実施形態１と実施形態４とで重複する内容については説明を省略する。なお、本実施形態において、実施形態１の液晶表示装置と同様の構成部材については、同じ符号を付した。【００７１】
本実施形態の液晶表示装置において、図６（ａ）に示すように、光源保持体６ｆが突起部１１ｆａを有するとともに、Ｐベゼル４ｆが突起部１１ｇａを有する。これにより、実施形態１の液晶表示装置と同様にして、本実施形態の液晶表示装置は、光源を保持する部材の変形、抜き差し不能等の不具合を効果的に防止しつつ、光源の交換を容易に行うことができる。ただし、本実施形態においては、光源保持体及びベゼルの間の摩擦を小さくする観点から、図６（ｂ）に示すように、光源保持体６ｇの突起部１１ｆｂと、Ｐベゼル４ｇの突起部１１ｇｂとが嵌合しないことが好ましい。また、本発明においては、製造プロセスの簡略化の観点から、光源保持体又はベゼル（光源保持体）のどちらか一方が突起部を有することが好ましい。【００７２】
（実施形態５）
図７を用いて、本発明に係る実施形態５の液晶表示装置について説明する。図７は、本実施形態の液晶表示装置の断面模式図である。本実施形態の液晶表示装置は、実施形態１の液晶表示装置と光源保持体及びベゼルの形態が異なるだけなので、実施形態１と実施形態５とで重複する内容については説明を省略する。なお、本実施形態において、実施形態１の液晶表示装置と同様の構成部材については、同じ符号を付した。【００７３】
本実施形態の液晶表示装置において、図７（ａ）に示すように、光源保持体６ｈは、突起部１１ｈを背面側に有する。これにより、光源保持体６ｈ及びリアベゼル７ｈの間の摩擦を小さくすることができるので、光源を保持する部材の変形、抜き差し不能等の不具合を効果的に防止しつつ、光源の交換を容易に行うことができる。ただし、本実施形態の液晶表示装置は、熱伝導性に優れたアルミニウムを含んで構成される光源保持体６ｈとリアベゼル７ｈとの間の接触面積が減少し、放熱が効率的に行われず、液晶表示パネル１にまで熱が伝わり、表示に悪影響を及ぼすことがあるという点では不利な形態である。なお、本実施形態の液晶表示装置は、図７（ｂ）に示すように、突起部１１ｉが、リアベゼル７ｉに設けられた形態であってもよい。【００７４】
（実施形態６）
図８を用いて、本発明に係る実施形態６の液晶表示装置について説明する。図８は、本実施形態の液晶表示装置の断面模式図である。本実施形態の液晶表示装置は、実施形態１の液晶表示装置とバックライトの形態が異なるだけなので、実施形態１と実施形態２とで重複する内容については説明を省略する。なお、本実施形態において、実施形態１の液晶表示装置と同様の構成部材については、同じ符号を付した。【００７５】
本実施形態の液晶表示装置において、バックライト１３ｊは、図８に示すように、液晶表示パネル１の後方に配置された光源８と、液晶表示パネル１及び光源８の間以外の光源８の周辺領域（光源８の前面側以外の領域）に配置された光源保持体６ｊと、光源保持体６ｊの周縁部の前面側に配置されたＰベゼル４ｊと、光源保持体６ｊの背面側に配置されたリアベゼル７ｊとを有する、いわゆる直下型バックライトである。なお、Ｐベゼル４ｊは、樹脂を用いて形成され、一方、リアベゼル７ｊは、アルミニウムを用いて形成される。なお、Ｐベゼル４ｊ及びリアベゼル７ｊは、実施形態１におけるＰベゼル４ａ及びリアベゼル７ａとほぼ同様の形態を有する。【００７６】
光源８としては、線状光源であるＣＣＦＴが複数本用いられている。また、光源８は、リアベゼル７ｊの対向する側面に形成された開口部（図示せず）に挿通されることによって保持されるとともに、リード線５が引き出されている。光源保持体６ｊは、周縁部が加工された板形状を有し、発光面の全面に渡って光源８が配置されている。また、光源保持体６ｊは、実施形態１と同様に反射体としても機能する。【００７７】
また、光源保持体６ｊは、Ｐベゼル４ｊ及びリアベゼル７ｊの間の隙間に抜き差し可能に挿設され、その端部にて保持されている。これにより、光源８及び光源保持体６ｊをバックライト１３ｊから一体的に抜き差しすることができる。更に、光源保持体６ｊは、前面側に突起部１１ｊを有し、突起部１１ｊでＰベゼル４ｊに接する構造を有している。これにより、実施形態１と同様に、光源保持体６ｊ及びＰベゼル４ｊの間の摩擦を小さくすることができる。このように、本実施形態の液晶表示装置は、光源保持体６ｊ及びＰベゼル４ｊの間の摩擦が小さいことから、直下型バックライトを備えた液晶表示装置において、光源を保持する部材の変形、抜き差し不能等の不具合を効果的に防止しつつ、光源の交換を容易に行うことができる。【００７８】
（実施形態７）
図９を用いて、本発明に係る実施形態７の液晶表示装置について説明する。図９は、本実施形態の液晶表示装置の断面模式図である。本実施形態の液晶表示装置は、実施形態１の液晶表示装置と光源保持体の形態が異なるだけなので、実施形態１と実施形態７とで重複する内容については説明を省略する。なお、本実施形態において、実施形態１の液晶表示装置と同様の構成部材については、同じ符号を付した。【００７９】
本実施形態の液晶表示装置において、光源保持体６ｋは、図９に示すように、前面側に曲面部１５ａを有し、曲面部１５ａでＰベゼル４ｋに接する構造を有している。これにより、実施形態１と同様に、光源保持体６ｋ及びＰベゼル４ｋの間の摩擦を小さくすることができるので、光源を保持する部材の変形、抜き差し不能等の不具合を効果的に防止しつつ、光源の交換を容易に行うことができる。また、曲面部１５ａは、図１０（ａ）に示すように、光源保持体６ｋ及びＰベゼル４ｋが対面する領域において、曲面部１５ａが部分的に配置されている。なお、曲面部の配置形態としては、図１０（ｂ）に示すように、曲面部１５ａｂが全体的に配置される形態であってもよいが、光源保持体及び光源挿設用部材の間の摩擦をより小さくする観点からは、部分的に配置される形態が好ましい。また、曲面部としては、図１１に示すような、断面形状が波形の曲面部１５ｂであってもよい。【００８０】
（実施形態８）
図１３〜１７を用いて、本発明に係る実施形態８の液晶表示装置について説明する。なお、本実施形態において、実施形態１の液晶表示装置と同様の構成部材については、同じ符号を付した。【００８１】
図１３（ａ）は、本実施形態の液晶表示装置における光源保持体及び滑走部材を示す斜視模式図であり、（ｂ）は、本実施形態の液晶表示装置における握持ホルダーを示す側面模式図である。本実施形態の液晶表示装置において、光源保持体６ｎは、図１３（ａ）に示すように、略方形の板状体であり、液晶表示パネルに対向する面上に光源８として複数本のＣＣＦＴが並設されている。光源保持体６ｎは、端部ホルダー１６及び握持ホルダー１７を有し、端部ホルダー１６により光源８の端部を保持するとともに、その面上に配置された握持ホルダー１７により光源８を保持している。なお、握持ホルダー１７は、図１３（ｂ）に示すように、光源８を握持している。端部ホルダー１６及び握持ホルダー１７は、樹脂を用いて形成されている。また、光源８のリード線（図示せず）は、光源保持体６ｎの光源８と反対側の面に引き出されている。更に、光源８は、光源保持体６ｎの光源８と反対側の面に設置されたインバータ基板（図示せず）にリード線を介して接続されている。そして、光源保持体６ｎの背面側の端部には滑走部材が配置されている。なお、滑走部材については、後で詳述する。【００８２】
図１４は、光源保持体及び滑走部材と、光源保持体に保持された光源とがバックライトから一部抜き出された状態の本実施形態の液晶表示装置を示す斜視模式図である。本実施形態のバックライト１３ｎは、図１４に示すように、光源保持体６ｎが３つ並設されており、それぞれが同一方向に抜き差し可能に挿設されている。したがって、バックライト１３ｎは、光源保持体が３つに分割された直下型バックライトといえる。このように、光源保持体を複数に分割することによって、通常、アルミニウム板を含んで形成される光源保持体の強度を強くすることができるので、液晶表示パネルのサイズが大きくても光源保持体の変形を防止しつつ、光源の交換を容易に行うことができる。また、各光源保持体に保持される複数の光源を一度に抜き差しできることから、光源の交換を効率的に行うことができる。【００８３】
図１５は、図１４中のＰ−Ｑ線における本実施形態の液晶表示装置の断面を示す断面模式図である。
図１５に示すように、バックライト１３ｎは、光源挿設用部材として、Ｐベゼル４ｎ及びリアベゼル７ｎに加えて、フレーム１８を有している。フレーム１８は、断面形状が略矢印型であり、分割された光源保持体６ｎ間に配置され、これにより分割された光源保持体６ｎを保持することが可能になっている。フレーム１８の材質としては、平滑性、加工性、強度及び熱安定性に優れた樹脂が好適であり、例えばポリカーボネイト等を用いればよい。【００８４】
また、バックライト１３ｎは、光源保持体６ｎの背面側の両端部に断面形状が略凹型（角張った略Ｕ字状）の滑走部材２１ｎａを有している。滑走部材２１ｎａは、光源保持体６ｎをスライドさせる機能を有し、光源挿設用部材と主に接している。また、滑走部材２１ｎａは、光源保持体６ｎにネジ等の固定部材（図示せず）により固定されている。これにより、図１４に示したように、光源保持体６ｎは光源挿設用部材から抜き差し可能になっている。すなわち、両端の光源保持体６ｎは、Ｐベゼル４ｎ、リアベゼル７ｎ及びフレーム１８の間の隙間に抜き差し可能に挿設され、滑走部材２１ｎａが配置された両端部にて保持されている。一方、中央の光源保持体６ｎは、リアベゼル７ｎ及びフレーム１８の間の隙間に抜き差し可能に挿設され、滑走部材２１ｎａが配置された両端部にて保持されている。滑走部材２１ｎａの材質としては、平滑性、加工性、強度及び熱安定性に優れた樹脂が好適であり、例えばポリカーボネイト等を用いればよい。【００８５】
更に、本実施形態の液晶表示装置は、光源８と対向する領域に高強度の光学部材である拡散板１９と、光学シート類２と、両面に偏光板１４が貼り付けられた液晶表示パネル１とが光源８側からこの順に積層され、そして、各部材がＰベゼル４ｎ及びフロントベゼル３ｎによって保持されている。【００８６】
図１６は、図１５中の破線で囲まれた領域における本実施形態の液晶表示装置の拡大図を示す断面模式図である。
図１６に示すように、光源保持体６ｎは、上述の端部ホルダー１６及び握持ホルダー１７以外に、更にランプトレイ２０、反射シート９及び反射用突起部２２を含んで構成される。【００８７】
ランプトレイ２０は、光源保持体６ｎの骨格をなす部品であり、熱伝導性に優れたアルミニウムから形成されている。これにより、実施形態１と同様に、光源８で発生した熱を外部に効率的に放出することができる。なお、ランプトレイ２０は、エッジライト型バックライトにおける光源保持体よりも厚いアルミニウム板（例えば、厚さ１ｍｍ）を用いて形成されており、これにより、強度を充分に確保することが可能となっている。一方、そのような厚いアルミニウム板を用いるとランプトレイの加工性が低下してしまう。しかしながら、加工性に優れた樹脂からなる滑走部材を別途配置することによって、本実施形態の光源保持体及び滑走部材において、強度と加工性との両立が可能となっている。【００８８】
反射シート９は、光源８から射出された光を効率的に液晶表示パネル１に供給するための部品であり、実施形態１と同様に、高い反射率を有する樹脂製のシート等を用いればよい。【００８９】
反射用突起部２２は、断面形状が略山型の反射部材であり、これにより、反射シート９で反射した光が再び光源８に入射し、吸収されることを効果的に抑制することができるので、光の利用効率を向上することができる。反射用突起部２２の材質としては、フレーム１８と同様の材質を好適に用いることができる。【００９０】
このように、光源保持体６ｎは、実施形態１と同様に反射体としても機能する。なお、上述の光源挿設用部材であるフレーム１８の液晶表示パネル１側の断面形状と、反射用突起部２２の断面形状とは、略同一となるように設計されている。また、光源８は、図１５に示すように、全ての光源保持体６ｎ上において等間隔になるように配置されているため、光源保持体６ｎ間の境界で輝度ムラが発生するのを効果的に抑制することができる。【００９１】
そして、滑走部材２１ｎａは、背面側に突起部１１ｎａを有し、突起部１１ｎａでリアベゼル７ｎに接する構造を有している。このように滑走部材の断面形状を略凹型とし、突起部を設けることによって、滑走部材及びリアベゼルの間の摩擦を小さくすることができるので、光源保持体の変形、抜き差し不能等の不具合を防止しつつ、光源の交換を容易に行うことができる。なお、滑走部材２１ｎａの材質として樹脂を用いた場合には、成型加工等により突起部を有する滑走部材を容易に形成することができる。【００９２】
光源保持体６ｎ及び滑走部材２１ｎａの組み立て方法としては以下の方法が挙げられる。すなわち、まず、成形したランプトレイ２０に滑走部材２１ｎａをネジ等の固定部材を用いて固定する。次に、ランプトレイ２０上に反射シート９を両面テープ等の接着材を用いて貼り付ける。最後に、握持ホルダー１７、端部ホルダー１６及び反射用突起部２２をランプトレイ２０に取り付ければよい。【００９３】
このように、本実施形態は、直下型バックライトを備える比較的大きいパネルサイズの液晶表示装置に好適である。なお、本実施形態において、突起部は、実施形態１と同様に、点状に配置されてもよいし、線状に配置されてもよい。また、本実施形態の液晶表示装置は、図１７（ａ）に示すように、滑走部材２１ｎｂの断面形状が略Ｌ字状になるような突起部１１ｎｂを有してもよい。更に、本実施形態の液晶表示装置においては、図１７（ｂ）に示すように、滑走部材２１ｎｃが曲面部１５ｎを有し、曲面部１５ｎで光源挿設用部材と接する構造を有してもよい。【００９４】
以上、実施形態１〜８を用いて本発明を詳細に説明したが、実施形態１〜８で述べた各種形態について適宜組み合わせることが可能であることは言うまでもない。【００９５】
（比較形態１）
図１２を用いて、比較形態１の液晶表示装置について説明する。図１２は、本比較形態の液晶表示装置の断面模式図である。本比較形態の液晶表示装置は、実施形態１の液晶表示装置と光源保持体及びベゼルの形態が異なるだけなので、実施形態１と比較形態１とで重複する内容については説明を省略する。なお、本比較形態において、実施形態１の液晶表示装置と同様の構成部材については、同じ符号を付した。【００９６】
本比較形態の液晶表示装置において、光源保持体６ｍ、Ｐベゼル４ｍ及びリアベゼル７ｍは、突起部も曲面部も有していない。したがって、光源保持体６ｍと、Ｐベゼル４ｍ及びリアベゼル７ｍとの間の摩擦が大きく、光源の交換を容易に行うことができず、光源保持体の変形、抜き差し不能等の不具合が発生することがある。【００９７】
（比較形態２）
図１８を用いて、比較形態２の液晶表示装置について説明する。図１８は、本比較形態の液晶表示装置における滑走部材の断面模式図である。本比較形態の液晶表示装置は、実施形態８の液晶表示装置と滑走部材の形態が異なるだけなので、実施形態８と比較形態２とで重複する内容については説明を省略する。なお、本比較形態において、実施形態８の液晶表示装置と同様の構成部材については、同じ符号を付した。【００９８】
本比較形態の液晶表示装置において、滑走部材２１ｐａは、図１８（ａ）に示すように、突起部も曲面部も有していない。したがって、本比較形態の液晶表示装置は、滑走部材２１ｐａとリアベゼル７ｎとの間の摩擦が大きく、光源の交換を容易に行うことができず、光源保持体及び滑走部材の変形、抜き差し不能等の不具合が発生することがある。なお、本比較形態の液晶表示装置において、図１８（ｂ）に示すように、滑走部材２１ｐｂの幅を一律に細くした場合には、滑走部材２１ｐｂとリアベゼル７ｎとの間の摩擦は小さくなる。しかしながら、滑走部材の強度が著しく低下してしまい、光源の交換時に滑走部材が変形してしまう。【００９９】
なお、本願は、２００６年２月１３日に出願された日本国特許出願２００６−３５６５８号と２００６年４月２０日に出願された日本国特許出願２００６−１１７０２５号とを基礎として、パリ条約ないし移行する国における法規に基づく優先権を主張するものである。該出願の内容は、その全体が本願中に参照として組み込まれている。【０１００】
また、本願明細書における「以上」は、当該数値を含むものである。
【図面の簡単な説明】
【０１０１】
【図１】図２（ａ）中のＸ−Ｙ線における実施形態１の液晶表示装置の断面を示す断面模式図である。
【図２】（ａ）は、光源保持体がバックライトに完全に挿入された状態を示す実施形態１の液晶表示装置の斜視模式図であり、（ｂ）は、光源保持体と、光源保持体に保持された光源とがバックライトから一部抜き出された状態を示す実施形態１の液晶表示装置の斜視模式図である。
【図３】（ａ）及び（ｂ）は、実施形態１の液晶表示装置における光源保持体及び突起部を示す斜視模式図である。
【図４】（ａ）〜（ｃ）は、実施形態２の液晶表示装置における光源保持体及び突起部の断面を示す断面模式図である。
【図５】実施形態３の液晶表示装置の断面を示す断面模式図である。
【図６】（ａ）及び（ｂ）は、実施形態４の液晶表示装置の断面を示す断面模式図である。
【図７】（ａ）及び（ｂ）は、実施形態５の液晶表示装置の断面を示す断面模式図である。
【図８】実施形態６の液晶表示装置の断面を示す断面模式図である。
【図９】実施形態７の液晶表示装置の断面を示す断面模式図である。
【図１０】（ａ）及び（ｂ）は、実施形態７の液晶表示装置における光源保持体及び突起部を示す斜視模式図である。
【図１１】実施形態７の液晶表示装置における別の光源保持体及び突起部の断面を示す断面模式図である。
【図１２】比較形態１の液晶表示装置の断面を示す断面模式図である。
【図１３】（ａ）は、実施形態８の液晶表示装置における光源保持体及び滑走部材を示す斜視模式図であり、（ｂ）は、実施形態８の液晶表示装置における握持ホルダーを示す側面模式図である。
【図１４】光源保持体及び滑走部材と、光源保持体に保持された光源とがバックライトから一部抜き出された状態の実施形態８の液晶表示装置を示す斜視模式図である。
【図１５】図１４中のＰ−Ｑ線における実施形態８の液晶表示装置の断面を示す断面模式図である。
【図１６】図１５中の破線で囲まれた領域における実施形態８の液晶表示装置の拡大図を示す断面模式図である。
【図１７】（ａ）及び（ｂ）は、実施形態８における滑走部材の変形形態を示す断面模式図である。
【図１８】（ａ）は、比較形態２の液晶表示装置の断面を示す断面模式図であり、（ｂ）は、比較形態２における滑走部材の変形形態を示す断面模式図である。
【符号の説明】
【０１０２】
１：液晶表示パネル
２：光学シート類
３、３ｎ：フロントベゼル
４ａ、４ｅ、４ｆ、４ｇ、４ｈ、４ｊ、４ｋ、４ｍ、４ｎ：Ｐベゼル
５：リード線
６ａ、６ａｂ、６ｂ、６ｃ、６ｄ、６ｅ、６ｆ、６ｇ、６ｈ、６ｉ、６ｊ、６ｋ、６ｋｂ、６ｌ、６ｍ、６ｎ、６ｐ：光源保持体
７ａ、７ｈ、７ｉ、７ｊ、７ｍ、７ｎ：リアベゼル
８：光源
９：反射シート
１０：導光板
１１ａ、１１ａｂ、１１ｂ、１１ｃ、１１ｄ、１１ｅ、１１ｆａ、１１ｆｂ、１１ｇａ、１１ｇｂ、１１ｈ、１１ｉ、１１ｊ、１１ｎａ、１１ｎｂ：突起部
１２：くぼみ
１３ａ、１３ｅ、１３ｆ、１３ｇ、１３ｈ、１３ｉ、１３ｊ、１３ｋ、１３ｌ、１３ｎ：バックライト
１４：偏光板
１５ａ、１５ａｂ、１５ｂ、１５ｎ：曲面部
１６：端部ホルダー
１７：握持ホルダー
１８：フレーム
１９：拡散板
２０：ランプトレイ
２１ｎａ、２１ｎｂ、２１ｐａ、２１ｐｂ：滑走部材
２２：反射用突起部
【図１】
2007094095.tif 000003
【図２】
2007094095.tif 000004
【図３】
2007094095.tif 000005
【図４】
2007094095.tif 000006
【図５】
2007094095.tif 000007
【図６】
2007094095.tif 000008
【図７】
2007094095.tif 000009
【図８】
2007094095.tif 000010
【図９】
2007094095.tif 000011
【図１０】
2007094095.tif 000012
【図１１】
2007094095.tif 000013
【図１２】
2007094095.tif 000014
【図１３】
2007094095.tif 000015
【図１４】
2007094095.tif 000016
【図１５】
2007094095.tif 000017
【図１６】
2007094095.tif 000018
【図１７】
2007094095.tif 000019
【図１８】
2007094095.tif 000020
【国際調査報告】
2007094095.tif 000021
2007094095.tif 000022
2007094095.tif 000023